(57)【要約】【課題】医用画像に対する読影状況を容易に把握することができるようにする。【解決手段】データベースが管理する医用画像の検索結果をリスト３０１、３０２として表示する際に、前記医用画像に対する読影レポートが入力されている場合には、そのことを表すマーク３０８〜３１０をリスト３０１、３０２に表示することにより、読影医師（ユーザ）が、前記医用画像に対する読影状況を容易に把握し、医用画像を読影すべきかどうかを直感的に知ることができるようにする。【選択図】      図３
2004287732.tif 000002
【特許請求の範囲】
【請求項１】
医用画像データおよび医用画像の付帯情報を管理するデータベースと、
前記データベースが管理する医用画像データを検索する検索手段と、
前記検索手段で検索した結果をリストとして表示するリスト表示手段と、
前記リスト表示手段で表示したリストの中から選択された内容に対応する医用画像を表示する画像表示手段と、
前記画像表示手段で表示した医用画像に対する読影レポートを入力する読影レポート入力手段と、
前記読影レポート入力手段で入力した読影レポートをデータベースへ保存する読影レポート保存手段とを有し、
前記リスト表示手段は、前記読影レポート入力手段により読影レポートが入力されたことを表す情報を前記リストに表示することを特徴とする医療情報表示装置。
【発明の詳細な説明】
【０００１】
【発明の属する技術分野】
本発明は、医療情報表示装置に関し、特に、医用画像の読影状況を把握するために用いて好適なものである。
【０００２】
【従来の技術】
近年、デジタル技術の進歩によりＸ線画像をデジタルデータとして検出・生成するＸ線デジタル撮影装置が開発されている。その１つの例として、Ｘ線に対して感度を持ち、検出したＸ線の強度に応じた電磁信号に変換・出力する固体撮像素子を利用して、これらの固体撮像素子からのアナログ信号をＡ／Ｄ変換によってデジタルデータとして取り出す平面センサーパネルを用いたＸ線デジタル撮影装置がある。
【０００３】
このようなＸ線デジタル撮影装置は、従来のフイルム・スクリーン系のものと比べてはるかに小型であり、さらに受診者の被爆線量を軽減できること等の理由から、あらゆる方面で積極的に使われ始めている。
【０００４】
このようなＸ線デジタル撮影装置においては、撮影画像はフイルムではなくデジタルデータとして取り込まれる。取り込まれたデジタルデータはモニタ上に表示され、モニタ上で読影作業が行われるようになってきている。
【０００５】
また、撮影画像を電子的に管理する方法として、医用画像保管通信システム（Ｐｉｃｔｕｒｅ  Ａｒｃｈｉｖｅ  ＆  Ｃｏｍｍｕｎｉｃａｔｉｏｎ  Ｓｙｓｔｅｍ：ＰＡＣＳ）がある（例えば特許文献１を参照。）。このＰＡＣＳは、データベースに医用画像を登録、管理、保存している。このようにしてデータベースで管理されている画像は、画像表示端末へ表示し読影されている。
【０００６】
このようなＰＡＣＳでは、管理する医用画像が膨大な量になるため、データベースに登録されている画像を検索し、検索結果の一覧表をモニタ上に表示するということが行われている。画像読影者は、その一覧表から所望の画像を選択し読影するようにしている。
【０００７】
また、これらの医用画像を扱うための画像フォーマットは、一般にＤＩＣＯＭ（Ｄｉｇｉｔａｌ  ａｎｄ  Ｃｏｍｍｕｎｉｃａｔｉｏｎ  ｉｎ  Ｍｅｄｉｃｉｎｅ）と呼ばれる規格（医療におけるデジタル画像と通信の規格）に準拠したフォーマットで保存されている。
【０００８】
このフォーマットは、階層構造になっており、一番上の階層には検査のレイヤがあり、検査の下にシリーズのレイヤがあり、シリーズの下にイメージのレイヤがある。これらのレイヤは、撮影を基本に考えられているため、検査が最も上位のレイヤになっている。そのため、データベースからＤＩＣＯＭ画像を検索して一覧として表示する場合には、最も上位のレイヤである検査のリストが表示されるのが一般的である。
【０００９】
【特許文献１】
特開平７−１７５８７４号公報
【００１０】
【発明が解決しようとする課題】
画像を読影する立場としては、患者毎に読影作業を行うので、検査をベースに検査リストを表示するよりも、患者をベースに患者リストを表示し、患者を選んで読影したいという要望がある。一方で、検査の読影状況を一覧リスト上にて確認したいという要望がある。
【００１１】
ところが、前述した従来の技術では、読影結果が検査毎に入力されるので、前述の通り複数の検査をまとめて、患者をベースに患者リストを表示した場合、その患者は複数の検査を持っているため、それらの読影状況を把握することが著しく困難になるという問題がある。
【００１２】
本発明は、前述の問題点に鑑みてなされたものであり、医用画像に対する読影状況を容易に把握することができるようにすることを目的とする。
【００１３】
【課題を解決するための手段】
本発明の医療情報表示装置は、医用画像データおよび医用画像の付帯情報を管理するデータベースと、前記データベースが管理する医用画像データを検索する検索手段と、前記検索手段で検索した結果をリストとして表示するリスト表示手段と、前記リスト表示手段で表示したリストの中から選択された内容に対応する医用画像を表示する画像表示手段と、前記画像表示手段で表示した医用画像に対する読影レポートを入力する読影レポート入力手段と、前記読影レポート入力手段で入力した読影レポートをデータベースへ保存する読影レポート保存手段とを有し、前記リスト表示手段は、前記読影レポート入力手段により読影レポートが入力されたことを表す情報を前記リストに表示することを特徴としている。
【００１４】
【発明の実施の形態】
（第１の実施の形態）
以下、図面を参照しながら、本発明の第１の実施の形態を詳細に説明する。
図１は、本実施の形態における医療情報表示装置の構成の一例を示すブロック図である。
【００１５】
図１において、１０１は、データベースから画像などを検索する検索手段、１０２は、検索手段１０１で検索した結果をリストとして表示するリスト表示手段、１０３は、リスト表示手段１０２で表示されたリストのいずれかを選択して画像を表示する画像表示手段、１０４は、画像表示手段１０３で表示した画像に対して読影レポートを入力する読影レポート入力手段、１０５は、読影レポート入力手段で入力した読影レポートをデータベースへ保存する読影レポート保存手段である。
【００１６】
次に、図２〜図４を用いて、以上のようにして構成される本実施の形態の医療情報表示装置の機能と動作について説明する。
図２は、本実施の形態の医療情報表示装置の動作を説明するフローチャートである。
【００１７】
具体的に説明すると、読影対象の患者に１以上の検査があり、患者リストあるいは検査リストを表示する場合に、それぞれの検査に読影レポートが有るか無いかによって表示方法を変化させる手順を示すフローチャートである。また、このフローチャートでは、読影レポートを入力する手順も併せて示している。
【００１８】
なお、本実施の形態では、医用画像データおよび医用画像の付帯情報を管理し、保存するデータベースを用いる。医用画像データの受信時、あるいは医用画像データの読み込み時に、ＤＩＣＯＭヘッダ内の情報から前記医用画像の付帯情報をデータベースに登録する。
【００１９】
登録する付帯情報は、患者ＩＤ、患者名、性別、撮影日などＤＩＣＯＭヘッダに書き込まれている情報である。また、医用画像データそのものは、前記画像の付帯情報を管理するデータベースとは別の画像保存用記憶領域へ保存し、その画像保存用記憶領域で画像を特定するための、医用画像データへのパスを付帯情報として登録しておく。
【００２０】
このように、本実施の形態では、医用画像の付帯情報と、医用画像データとを別々に保存するようにしたが、医用画像の付帯情報と、医用画像データの保存形態は、これに限定するものではない。
【００２１】
まず、ステップＳ２０１（ＤＢ検索ステップ）において、データベース検索手段１０１は、オペレータによるデータベースの検索開始の指示に基づいて、データベースを検索する。なお、データベースの検索開始の指示及び検索内容は、画面に用意されているＧＵＩ（Ｇｒａｐｈｉｃａｌ  Ｕｓｅｒ  Ｉｎｔｅｒｆａｃｅ）から行うことが出来る。
【００２２】
このデータベースの検索は、通常、検査単位で行う。例えば、データベースに登録されている全ての検査を検索したり、検査日を指定して検査を検索したり、患者ＩＤで検査を検索したりする場合もある。
【００２３】
また、例えば、検査日を指定して検索した場合には、指定された検査日に撮影した患者の検査日以外に撮影された検査についても参照用画像として検索する。そして、前記検査日以外に撮影された検査が存在した場合には、その検査もリスト上に表示する。
【００２４】
次に、ステップＳ２０２において、リスト表示手段１０２は、現在の表示モードが患者リスト表示モードであるか、それとも検査リスト表示モードであるかを確認する。表示モードの設定は、リスト画面に用意されているＧＵＩから設定することが出来る。
【００２５】
このステップＳ２０２における確認の結果、表示モードが患者リスト表示モードである場合は、ステップＳ２０３に進み、リスト表示手段１０２は、ステップＳ２０１における検索の結果に基づいて、患者が複数の検査を持つかどうかを確認する。
【００２６】
この確認の結果、患者が１つの検査しか持たない場合は、同一患者としてまとめられる検査が無く、患者リストと検査リストとが同等の内容になるため、ステップＳ２０４に進み、リスト表示手段１０２は、ステップＳ２０１で検索した検査に対して既に読影レポートが入力されているかどうかを確認する。
【００２７】
一方、前記ステップＳ２０２における確認の結果、表示モードが検査リスト表示である場合にも前記ステップＳ２０４に進み、リスト表示手段１０２は、ステップＳ２０１で検索した検査に対して既に読影レポートが入力されているかどうかを確認する。
【００２８】
この確認の結果、読影レポートが入力されていなければ、ステップＳ２０５に進み、リスト表示手段１０２は、読影レポートが無い検査として、読影レポートが無い場合の所定の表示効果を施してリストを表示する。
【００２９】
一方、読影レポートが入力されていれば、ステップＳ２０６に進み、リスト表示手段１０２は、読影レポートが有る検査として、読影レポートが全て有る場合の所定の表示効果を施してリストを表示する。
【００３０】
また、前記ステップＳ２０３における結果、患者が複数の検査を持つ場合（同一の患者に検査が複数ある場合で、かつ患者リストとして表示する場合）は、それぞれの検査に対する読影レポートの入力状況によってリストの表示効果を異ならせる。
【００３１】
すなわち、前記ステップＳ２０３における結果、患者が複数の検査を持つ場合は、ステップＳ２０７に進み、リスト表示手段１０２は、ステップＳ２０１で検索した検査に読影レポートが入力されているかどうかを確認する。
【００３２】
この確認の結果、全ての検査に読影レポートが入力されていない場合には、前記ステップＳ２０５に進み、リスト表示手段１０２は、読影レポートが全て無い場合の所定の表示効果を施してリストを表示する。
【００３３】
また、前記ステップＳ２０７における確認の結果、一部の検査に読影レポートが入力されている場合には、ステップＳ２０８に進み、リスト表示手段１０２は、全ての検査数に対する読影レポート入力済検査数の割合に応じた所定の表示効果を施してリストを表示する。
【００３４】
また、前記ステップＳ２０７における確認の結果、全ての検査に読影レポートが既に入力されている場合には、前記ステップＳ２０６に進み、リスト表示手段１０２は、読影レポートが全て有る場合の所定の表示効果を施してリストを表示する。
【００３５】
ここで、図３を参照しながら、前記ステップＳ２０５、Ｓ２０６、Ｓ２０８で施されるリストの表示効果の具体例を説明する。
図３に示す検査リスト３０１内には、患者ＩＤが「１２３」である同一患者の検査３０３が３つ表示されている。そして、この３つの検査３０３に対応するレポート（Ｒｅｐｏｒｔ）の欄には何も表示されていないことから、検査リスト３０１では、３つの検査３０３とも、読影レポートが入力されていないことを表している。
【００３６】
ただし、ここでは、読影レポートが入力されていなければ、前記レポート（Ｒｅｐｏｒｔ）の欄に何も表示しないようにしているが、読影レポートが無いことを表す表示効果を施して表示するようにしても良い。
【００３７】
また、検査リスト３０１内には、患者ＩＤが「５４３６」である同一患者の検査３０４が３つ表示されている。そして、この３つの検査３０４の中で、１番下に表示されている検査に対応するレポート（Ｒｅｐｏｒｔ）の欄にのみ「レ」マークが表示されている。このように、検査リスト３０１では、３つの検査３０４の中で、１番下に表示されている検査のみに読影レポートが入力されていることを表している。
【００３８】
ただし、ここでは、読影レポートが入力されていることを表す表示効果として、「レ」マークのようなものを利用しているが、読影レポートが入力されていることを表す表示効果は、これに限定するものではない。
【００３９】
例えば、読影レポートが入力されているリストの背景色を変更したり、読影レポートが入力されているリストを点滅させたり、読影レポートが入力されているリストのフォント色を変更するようにしても良い。
【００４０】
患者ＩＤが「２４２」である同一患者の３つの検査３０５は、患者ＩＤが「５４３６」である患者の３つの検査３０４と類似しているが、３つの検査３０５のうち、２つの検査に対して読影レポートが入力されている点が、検査３０４と異なる。
【００４１】
同様に、患者ＩＤが「４３４２」である同一患者の３つの検査３０６については、真ん中に表示されている検査のみに読影レポートが入力されていることを表している。
【００４２】
また、患者ＩＤが「８７３４」である同一患者に対する４つの検査３０７に対応するレポート（Ｒｅｐｏｒｔ）の欄には、全て「レ」マーク３０８が表示されている。したがって、検査リスト３０１では、患者ＩＤが「８７３４」である同一患者の全ての検査に、読影レポートが入力されていることを表している。
【００４３】
以上のような検査リスト３０１を患者リスト３０２として表示する場合、患者ＩＤが「１２３」である同一患者の全ての検査３０３には、読影レポートが入力されていないので、この検査３０３を患者リスト３０２として表示した場合でも、読影レポートが入力されていないものとして表示する。
【００４４】
また、患者ＩＤが「８７３４」である同一患者の検査３０７では、全ての検査に読影レポートが入力されているので、この検査３０７を患者リスト３０２として表示した場合でも、読影レポートが入力されているものとして表示するようにする。
【００４５】
ただし、検査３０４と、検査３０５と、検査３０６は、それぞれ同一患者に対する検査であるが、その患者の一部の検査について読影レポートが入力済みで、残りの検査については読影レポートが入力されていない状態である。
このような検査３０４、３０５、３０６を患者リスト３０２として表示する場合は、読影レポートの入力が一部のみ済んでいることを意味する表示効果を施す。
【００４６】
具体的には、図３の患者リスト３０２において、全ての検査に読影レポートが入力されている検査３０７に対応するレポート（Ｒｅｐｏｒｔ）の欄に表示する「レ」マーク３０９の色と、一部の検査に読影レポートが入力されている検査３０４、３０５、３０６に対応するレポート（Ｒｅｐｏｒｔ）の欄に表示する「レ」マーク３１０の色とを異ならせるようにする。
【００４７】
ただし、ここでは、「レ」マークの色を異ならせて、読影レポートの入力状況を識別するようにしたが、読影レポートの入力状況を識別するようにするための表示効果は、これに限定するものではない。
【００４８】
例えば、読影レポートの全てが入力済であることを意味する表示効果としてのマークと、読影レポートの入力が一部のみ入力済であることを意味する表示効果としてのマークとを全く異なるデザインにしてもよい。また、リストの背景色やリストのフォントを変えたりするようにしてもよい。
【００４９】
また、読影レポートの入力が一部のみ済んでいることを意味する表示効果である「レ」マーク３１０では、全ての検査数に対する読影レポート入力済検査数の割合については考慮していない。しかしながら、全ての検査数に対する読影レポート入力済検査数の割合がわかるような表示効果をつけても良い。
【００５０】
例えば、インジケータのようなものを表示し、読影レポートが入力されている検査の割合によって、インジケータのゲージを異ならせて描画するなどして、読影レポートが入力されている検査の割合が一目でわかるようにする方法もある。
【００５１】
以上のようにして読影レポートの入力状況に応じた表示効果を施して表示した検査リストまたは患者リストの中から、ＧＵＩを用いてオペレータから読影レポートを入力するリスト（検査）が選択されると、ステップＳ２０９において、画像表示手段１０３は、該当する画像を表示する。
【００５２】
このようにして画像を表示した後、ステップＳ２１０において、読影レポート入力手段１０４は、読影レポートを入力する。そして、読影レポート保存手段１０５は、入力した読影レポートをデータベースに保存する。
次に、ステップＳ２１１において、リスト表示手段１０２は、ステップＳ２１０における読影レポートの入力結果を反映させてリストを表示しなおす。
【００５３】
なお、本実施の形態では、画像を表示する画面と、リストを表示する画面とを交互に行き来することが出来るようになっており、画像を表示する画面で読影レポートが新たに入力された場合に、リストを表示する画面に戻ってリストを表示する場合には、読影レポートの入力状況を表す表示効果を変更してリストを表示する。また、この際に、画像を表示したことを表すステータスをリスト内に表現しても良い。
【００５４】
以上のように本実施の形態では、読影レポートの入力状況に応じた表示効果を施して検査リストまたは患者リストを表示するようにしたので、読影医師（ユーザ）は、検査（画像）に対する読影状況を容易に把握することができ、検査（画像）を読影すべきかどうかを直感的に知ることができる。
【００５５】
特に、患者をベースとした患者リストを表示する際に、読影レポートの入力状況に応じた表示効果を施すようにしたので、読影医師（ユーザ）は、多くの患者の一覧情報を一度に閲覧しながら、読影すべき検査（画像）を知ることができる。
【００５６】
また、患者リストと検査リストとを切り替えて表示するようにしたので、読影医師が患者毎に診断行為を行いたい場合には、患者リストを表示するようにし、読影医師が検査をベースに診断行為を行いたい場合には、検査リストを表示することができる。これにより、読影医師が必要とする情報だけを表示するようにすることができ、診断効率を向上させることができる。
【００５７】
（第２の実施の形態）
次に、本発明の第２の実施の形態について説明する。なお、本実施の形態における説明において、前述した第１の実施の形態と同一の部分については、図１〜図３に付した符号と同一の符号を付すなどして詳細な説明を省略する。
【００５８】
本実施の形態では、シリーズリストの表示と、検査リストの表示と、患者リストの表示とを、下のレイヤのリストにおけるレポートの入力状態により変更するようにしている。
【００５９】
ここでいうレポートは、診断結果のようなレポートである場合や、画像を表示したか表示していないかというようなステータスを表すようなレポートでも良い。
【００６０】
図４を用いて本実施の形態におけるリストの表示例を説明する。
図４において、４０１は患者リストである。前述した第１の実施の形態で述べた通り、患者リストは検査リストと切り替えて表示することが出来る。ここでは１人の患者に１つの検査がある場合を例に挙げて説明する。そのため、この例では患者リストと検査リストは同一のリストとなる。以下、本実施の形態では、このリストを患者／検査リストという。
【００６１】
また、４０６はシリーズリストである。このシリーズリスト４０６には、患者／検査リスト４０１で選択されているリストに関するシリーズのリストが表示されている。
【００６２】
４１０は、イメージ（画像）リストである。このイメージリスト４１０には、シリーズリスト４０６で選択されているリストに関するイメージ（画像）のリストが表示される。
【００６３】
つまり、シリーズリスト４０６に表示されている２つのリストは検査４０２が持つシリーズであり、イメージリスト４１０に表示されている３つのリストは、シリーズリスト４０６で選択されているシリーズ４０４が持つ画像のリストである。
【００６４】
ここで、図４に示した例では、イメージリスト４１０内の画像４０７、４０８にレポートがあり、画像４０９にはレポートがない。すなわち、レポートがある画像４０７、４０８に対しては、リストの左端に黒塗りの四角を表示し、レポートがない画像４０９に対しては、白抜きの四角を表示する。
【００６５】
ただし、ここでは、レポートの有無を黒塗りの四角と白抜きの四角で表したが、レポートの有無の表示方法は、これに限定するものではない。例えば、ビットマップのような絵の情報でレポートの有無を表示するようにしてもよい。また、リスト自体に表示効果を施すようにしてもよい。
【００６６】
このように、シリーズ４０４は、３つの画像４０７、４０８、４０９を持っているが、このうち２つの画像４０７、４０８はレポートを持ち、残りの１つの画像４０９はレポートを持っていない。
【００６７】
このような場合はシリーズ４０４の表示欄の左端に示す通り、レポートがある画像の割合によって表示効果を変えるようにする。このようにことで、そのシリーズが持つ画像にどれだけのレポートが付いているのかを直感的に知ることが出来る。
【００６８】
ただし、ここでは、シリーズ４０４の表示欄の左端に表示されている四角の中の３分の２程度を黒く塗りつぶして、シリーズ４０４が持つ画像の３分の２にレポートが付いていることを表示するようにした例を示しているが、シリーズが持つ画像にどれだけのレポートが付いているのかを表示する方法は、これに限定するものではない。
【００６９】
一方、シリーズ４０５は、図示していないが３つの画像を持ち、１つの画像のみレポートが付けられており、残りの２つの画像にはレポートが付けられていない。そのためシリーズ４０５の表示欄の左端に表示されている四角の中の上３分の１程度を黒く塗りつぶすようにしている。
【００７０】
また、検査４０２は２つのシリーズ４０４、４０５を持ち、そのうちの１つは、３つの画像４０７〜４０９中、２つの画像４０７、４０８にレポートがつけられているシリーズ４０４であり、もう１つは、３つの画像中、１つの画像にレポートがつけられているシリーズ４０５である。
【００７１】
従って、検査４０２は２つのシリーズ４０４、４０５を持つが、その２つのシリーズ４０４、４０５とも完全な状態でレポートが付けられておらず、シリーズが持つ画像の一部のみにレポートがつけられている。
【００７２】
そこで、例えば図４に示すように、検査４０２が持つシリーズ４０４、４０５を表す四角をリストの左端に２つ横に並べて表示することにより、検査４０２にシリーズが２つあることが分かるようにする。
【００７３】
そして、それぞれの四角の中における塗りつぶしの割合を異ならせることで、レポートが付けられている画像の割合が分かるようにする。この他にも、例えばリスト表示の背景色やフォントサイズを変えるなどの方法を採るようにしてもよい。
【００７４】
また、図４に示した検査４０３を選択した場合のリストの表示例を図５に示す。
図５において、検査４０３は、３つのシリーズ５０４〜５０６を持っており、これらのシリーズ５０４〜５０６は、複数の画像を持っている。しかし、検査４０３が持つシリーズ５０４〜５０６、およびこれらのシリーズ５０４〜５０６が持つ４つの画像５０８〜５１１には全てレポートがつけられているため検査４０３のリストの表示効果としては、記号「Ｘ」を表示する。ただし、この表示効果は、記号「Ｘ」に限定するものではない。
【００７５】
以上のように本実施の形態では、上位のレイヤにあるリスト（患者リスト、検査リスト、シリーズリスト）の表示を、下位のレイヤのリストにおけるレポートの入力状態により変更するようにしたので、前述した第１の実施の形態における効果に加え、読影医師は、ＤＩＣＯＭ規格で最も上位のレイヤとなる検査リスト、もしくはさらに上位のレイヤともなる患者リストを見ながらレポートの入力状況を知ることができる。すなわち、読影医師は、下位のレイヤ（イメージのレイヤ）の情報を見なくても、レポートの入力状況を知ることができる。これにより、読影漏れや読影ミスを防ぐことができる。
【００７６】
（第３の実施の形態）
次に、本発明の第３の実施の形態について説明する。なお、本実施の形態における説明において、前述した第１及び第２の実施の形態と同一の部分については、図１〜図４に付した符号と同一の符号を付すなどして詳細な説明を省略する。
【００７７】
本実施の形態では、レポートの内容によって表示効果を変える形態である。
図６を用いて本実施の形態におけるリストの表示例を説明する。
図６において、６０１は検査リストである。なお、ここでは、検査リスト６０１のみを図示しているが、実際にはその他のリストも表示されている。
【００７８】
６０３は、レポートの内容が正常であることを表す記号である。ここでは記号「Ｏ」を用いて、レポートの内容が正常であることを表現しているが、レポートの内容が正常であることを表現する方法は、これに限定するものではない。
【００７９】
例えば、記号を用いるほかにも検査リスト６０１内の背景色を変えたり、検査リスト６０１のフォントを変更したりする等、様々な表示効果を用いて表現することが可能である。
【００８０】
また、このようにして表示されるリストはログインするユーザに固有のものであり、検査リスト６０１には、医師Ａのレポートの内容について表示されている。
【００８１】
検査リスト６０４には、検査リスト６０１と同一の検査リストが表示されているが、ログインしている医師が異なる。すなわち、検査リスト６０４では、医師Ｂのレポートの内容について表示している。
【００８２】
ここで、６０６は、有所見者であることを表す記号である。ここでは記号「Ｘ」を用いて有所見者であることを表現しているが、有所見者であることを表現する方法は、これに限定するものではない。
【００８３】
検査６０２と、検査６０５は、同一の検査であるが、医師Ａと医師Ｂとでレポートの内容が異なっている。
検査６０２では所見なしというレポートが付けられ、検査６０５では所見ありというレポートが付けられている。
【００８４】
ここで、レポート内容に関して全医師のレポート状況を表示することができる。６０７は、全医師のレポート状況を表示した検査リストである。
【００８５】
検査リスト６０７の右端には、レポートを付加したログインユーザー（医師）の名前６０８が表示されている。これにより、どの検査に誰のレポートが付けられているのかを瞬時に判断することが出来る。
【００８６】
ここで、検査６０９は医師Ａと医師Ｂとで異なる診断レポートが付けられているため、異なるレポート内容がつけられていることを意味するマーク６１０をリスト６０７の左端に表示する。
【００８７】
ここでは、一例としてマーク６１０を付して、異なるレポート内容がつけられている場合の表示効果を示しているが、異なるレポート内容がつけられていることを表示する方法は、これに限定するものではない。
【００８８】
例えば、検査リスト６０７内の背景色を変えたり、検査リスト６０７のフォントを変更したり、検査リスト６０７の該当する部分を点滅して表示させたり、さらにレポートを付加したログインユーザー（医師）の名前６０８に示した欄の表示に注意を喚起する表示効果をつけたりすることなどが考えられる。
【００８９】
以上のように本実施の形態では、ログインするユーザ（医師）に固有のリストを表示するようにしたので、レポートが読影済みであるか、それとも未だ読影されていないのかをログインするユーザ（医師）毎に管理することができる。これにより、診断効率をより向上させることができる。
また、医師間でレポートの内容が異なる場合には、その旨をリスト上に表示するようにしたので、誤診を事前に防止することができる。
【００９０】
なお、上述した各実施の形態で説明した医療情報表示装置は、図７に示すようなコンピュータシステムを用いることにより実現することができる。
図７は、医療情報表示装置に配設されているコンピュータシステムの構成の一例を示したブロック図である。
【００９１】
図７において、コンピュータシステム５０は、ＣＰＵ５１と、ＲＯＭ５２と、ＲＡＭ５３と、キーボード（ＫＢ）５４のキーボードコントローラ（ＫＢＣ）５５と、表示部としてのＣＲＴディスプレイ（ＣＲＴ）５６のＣＲＴコントローラ（ＣＲＴＣ）５７と、ハードディスク（ＨＤ）５８及びフレキシブルディスク（ＦＤ）５９のディスクコントローラ（ＤＫＣ）６０と、ネットワーク６１との接続のためのネットワークインターフェースコントローラ（ＮＩＣ）６２とが、システムバス６３を介して互いに通信可能に接続された構成としている。
【００９２】
ＣＰＵ５１は、ＲＯＭ５２或いはＨＤ５８に記憶されたソフトウェア、或いはＦＤ２９より供給されるソフトウェアを実行することで、システムバス５３に接続された各構成部を総括的に制御する。
すなわち、ＣＰＵ５１は、所定の処理シーケンスに従った処理プログラムを、ＲＯＭ５２、或いはＨＤ５８、或いはＦＤ５９から読み出して実行することで、後述する動作を実現するための制御を行う。
【００９３】
ＲＡＭ５３は、ＣＰＵ５１の主メモリ或いはワークエリア等として機能する。
ＫＢＣ５５は、ＫＢ５４や図示していないポインティングデバイス等からの指示入力を制御する。
【００９４】
ＣＲＴＣ５７は、ＣＲＴ５６の表示を制御する。
ＤＫＣ６０は、ブートプログラム、種々のアプリケーション、編集ファイル、ユーザファイル、ネットワーク管理プログラム、及び本実施の形態における所定の処理プログラム等を記憶するＨＤ５８及びＦＤ５９とのアクセスを制御する。
ＮＩＣ５２は、ネットワーク６１上の装置或いはシステムと双方向にデータをやりとりする。
【００９５】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００９６】
また、この場合、前記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９７】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００９８】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００９９】
本発明の実施態様の例を以下に列挙する。
（実施態様１）  医用画像データおよび医用画像の付帯情報を管理するデータベースと、
前記データベースが管理する医用画像データを検索する検索手段と、
前記検索手段で検索した結果をリストとして表示するリスト表示手段と、
前記リスト表示手段で表示したリストの中からいずれかを選択し、選択した結果に対応する医用画像を表示する画像表示手段と、
前記画像表示手段で表示した医用画像に対する読影レポートを入力する読影レポート入力手段と、
前記読影レポート入力手段で入力した読影レポートをデータベースへ保存する読影レポート保存手段とを有し、
前記リスト表示手段は、前記読影レポート入力手段により読影レポートが入力されたことを表す情報を前記リストに表示することを特徴とする医療情報表示装置。
【０１００】
（実施態様２）  前記リスト表示手段は、前記読影レポート入力手段により入力される読影レポートの有無により、前記リストの表示方法を変更することを特徴とする実施態様１に記載の医療情報表示装置。
【０１０１】
（実施態様３）  前記画像リスト表示手段は、患者をベースとした患者リストを表示する患者リスト表示モードと、患者が持つ検査をベースとした検査リストを表示する検査リスト表示モードとを切り替えるリスト表示モード切り替え手段を有し、
前記リスト表示モード切り替え手段で切り替えたモードに従ったリストを表示することを特徴とする実施態様１または２に記載の医療情報表示装置。
【０１０２】
（実施態様４）  前記患者リストは、同一患者の複数の検査をまとめることにより作成されるリストであることを特徴とする実施態様３に記載の医療情報表示装置。
【０１０３】
（実施態様５）  画像リスト表示手段は、前記データベースに保存されている医用画像の付帯情報に基づいて、同一患者の検査が複数あるかどうかを判断し、同一患者の検査が複数あると判断した場合に、前記患者リスト表示モードと前記検査リスト表示モードとを切り替えることを特徴とする実施態様３または４に記載の医療情報表示装置。
【０１０４】
（実施態様６）  前記リスト表示手段は、前記リスト表示モード切り替え手段により前記検査リスト表示モードに切り替えられている場合に、前記検査に対する読影レポートの有無によってリストの表示効果を変更することを特徴とする実施態様３〜５の何れか１態様に記載の医療情報表示装置。
【０１０５】
（実施態様７）  前記リスト表示手段は、前記リスト表示モード切り替え手段により前記患者リスト表示モードに切り替えられている場合に、前記患者が持つ検査に対する読影レポートの有無によってリストの表示効果を変更することを特徴とする実施態様３〜６の何れか１態様に記載の医療情報表示装置。
【０１０６】
（実施態様８）  前記リスト表示手段は、前記患者が持つ全ての検査に対する読影レポートがある場合には、その患者のリスト表示は読影済であることを表す表示効果とし、前記患者が持つ全ての検査に対する読影レポートがない場合には、その患者のリスト表示は未読影であることを表す表示効果とし、前記患者が持つ検査の一部のみに対して読影レポートがある場合には、その患者のリスト表示は一部のみ読影済であることを表す表示効果とすることを特徴とする実施態様３〜７の何れか１態様に記載の医療情報表示装置。
【０１０７】
（実施態様９）  前記リスト表示手段は、前記患者が持つ全検査数に対する、前記読影レポートを持つ検査数の割合によって表示効果を異ならせるようにしたことを特徴とする実施態様８に記載の医療情報表示装置。
【０１０８】
（実施態様１０）  前記リスト表示手段は、前記検査が持つシリーズの画像に対する読影レポートの有無と、前記検査が持つシリーズの画像の表示の有無とのうちの少なくとも何れか一方によって前記検査リストの表示効果を変更することを特徴とする実施態様３〜９の何れか１態様に記載の医療情報表示装置。
【０１０９】
（実施態様１１）  前記リスト表示手段は、前記患者または検査が持つシリーズをベースとしたシリーズリストを表示するシリーズリスト表示手段を有し、前記シリーズが持つ画像に対する読影レポートの有無と、前記シリーズが持つ画像の表示の有無とのうちの少なくとも何れか一方によって、前記シリーズリストの表示効果を変更することを特徴とする実施態様３〜１０の何れか１態様に記載の医療情報表示装置。
【０１１０】
（実施態様１２）  前記リスト表示手段は、前記医用画像のリストを表示する画像リスト表示手段を有し、
前記医用画像に対する読影レポートの有無と、前記医用画像の表示の有無とのうちの少なくとも何れか一方によって、前記医用画像のリストの表示効果を変更することを特徴とする実施態様３〜１１の何れか１態様に記載の医療情報表示装置。
【０１１１】
（実施態様１３）  前記読影レポート保存手段は、前記読影レポート入力手段で入力した読影レポートをユーザ毎に保存し、
前記リスト表示手段は、前記ユーザの読影レポートの有無を判断することにより、前記ユーザに固有のリストを表示することを特徴とする実施態様３〜１２の何れか１態様に記載の医療情報表示装置。
【０１１２】
（実施態様１４）  前記読影レポート保存手段は、前記読影レポート入力手段で入力した読影レポートをユーザ毎に保存し、
前記リスト表示手段は、前記保存した読影レポートの内容が、ユーザによって異なる場合に、表示効果を異ならせてリストを表示することを特徴とする実施態様３〜１３の何れか１態様に記載の医療情報表示装置。
【０１１３】
（実施態様１５）  前記リスト表示手段は、前記読影レポートの内容によって表示効果を異ならせてリストを表示することを特徴とする実施態様１〜１４の何れか１態様に記載の医療情報表示装置。
【０１１４】
（実施態様１６）  データベースが管理する医用画像データを検索する検索処理と、
前記検索処理で検索した結果をリストとして表示するリスト表示処理と、
前記リスト表示処理で表示したリストの中から選択された内容に対応する医用画像を表示する画像表示処理と、
前記画像表示処理で表示した医用画像に対する読影レポートを入力する読影レポート入力処理と、
前記読影レポート入力処理で入力した読影レポートをデータベースへ保存する読影レポート保存処理とを行い、
前記リスト表示処理は、前記読影レポート入力処理により読影レポートが入力されたことを表す情報を前記リストに表示することを特徴とする医療情報表示方法。
【０１１５】
（実施態様１７）  前記リスト表示処理は、前記読影レポート入力処理により入力される読影レポートの有無により、前記リストの表示方法を変更することを特徴とする実施態様１６に記載の医療情報表示方法。
【０１１６】
（実施態様１８）  前記画像リスト表示処理は、患者をベースとした患者リストを表示する患者リスト表示モードと、患者が持つ検査をベースとした検査リストを表示する検査リスト表示モードとを切り替えるリスト表示モード切り替え処理を行い、
前記リスト表示モード切り替え処理で切り替えたモードに従ったリストを表示することを特徴とする実施態様１６または１７に記載の医療情報表示方法。
【０１１７】
（実施態様１９）  前記患者リストは、同一患者の複数の検査をまとめることにより作成されるリストであることを特徴とする実施態様１８に記載の医療情報表示方法。
【０１１８】
（実施態様２０）  画像リスト表示処理は、前記データベースに保存されている医用画像の付帯情報に基づいて、同一患者の検査が複数あるかどうかを判断し、同一患者の検査が複数あると判断した場合に、前記患者リスト表示モードと前記検査リスト表示モードとを切り替えることを特徴とする実施態様１８または１９に記載の医療情報表示方法。
【０１１９】
（実施態様２１）  前記リスト表示処理は、前記リスト表示モード切り替え処理により前記検査リスト表示モードに切り替えられている場合に、前記検査に対する読影レポートの有無によってリストの表示効果を変更することを特徴とする実施態様１８〜２０の何れか１態様に記載の医療情報表示方法。
【０１２０】
（実施態様２２）  前記リスト表示処理は、前記リスト表示モード切り替え処理により前記患者リスト表示モードに切り替えられている場合に、前記患者が持つ検査に対する読影レポートの有無によってリストの表示効果を変更することを特徴とする実施態様１８〜２１の何れか１態様に記載の医療情報表示方法。
【０１２１】
（実施態様２３）  前記リスト表示処理は、前記患者が持つ全ての検査に対する読影レポートがある場合には、その患者のリスト表示は読影済であることを表す表示効果とし、前記患者が持つ全ての検査に対する読影レポートがない場合には、その患者のリスト表示は未読影であることを表す表示効果とし、前記患者が持つ検査の一部のみに対して読影レポートがある場合には、その患者のリスト表示は一部のみ読影済であることを表す表示効果とすることを特徴とする実施態様１８〜２２の何れか１態様に記載の医療情報表示方法。
【０１２２】
（実施態様２４）  前記リスト表示処理は、前記患者が持つ全検査数に対する、前記読影レポートを持つ検査数の割合によって表示効果を異ならせるようにしたことを特徴とする実施態様２３に記載の医療情報表示方法。
【０１２３】
（実施態様２５）  前記リスト表示処理は、前記検査が持つシリーズの画像に対する読影レポートの有無と、前記検査が持つシリーズの画像の表示の有無とのうちの少なくとも何れか一方によって前記検査リストの表示効果を変更することを特徴とする実施態様１８〜２４の何れか１態様に記載の医療情報表示方法。
【０１２４】
（実施態様２６）  前記リスト表示処理は、前記患者または検査が持つシリーズをベースとしたシリーズリストを表示するシリーズリスト表示処理を行い、前記シリーズが持つ画像に対する読影レポートの有無と、前記シリーズが持つ画像の表示の有無とのうちの少なくとも何れか一方によって、前記シリーズリストの表示効果を変更することを特徴とする実施態様１８〜２５の何れか１態様に記載の医療情報表示方法。
【０１２５】
（実施態様２７）  前記リスト表示処理は、前記医用画像のリストを表示する画像リスト表示処理を行い、
前記医用画像に対する読影レポートの有無と、前記医用画像の表示の有無とのうちの少なくとも何れか一方によって、前記医用画像のリストの表示効果を変更することを特徴とする実施態様１８〜２６の何れか１態様に記載の医療情報表示方法。
【０１２６】
（実施態様２８）  前記読影レポート保存処理は、前記読影レポート入力処理で入力した読影レポートをユーザ毎に保存し、
前記リスト表示処理は、前記ユーザの読影レポートの有無を判断することにより、前記ユーザに固有のリストを表示することを特徴とする実施態様１８〜２７の何れか１態様に記載の医療情報表示方法。
【０１２７】
（実施態様２９）  前記読影レポート保存処理は、前記読影レポート入力処理で入力した読影レポートをユーザ毎に保存し、
前記リスト表示処理は、前記保存した読影レポートの内容が、ユーザによって異なる場合に、表示効果を異ならせてリストを表示することを特徴とする実施態様１８〜２８の何れか１態様に記載の医療情報表示方法。
【０１２８】
（実施態様３０）  前記リスト表示処理は、前記読影レポートの内容によって表示効果を異ならせてリストを表示することを特徴とする実施態様１６〜２９の何れか１態様に記載の医療情報表示方法。
【０１２９】
（実施態様３１）  データベースが管理する医用画像データを検索する検索処理と、
前記検索処理で検索した結果をリストとして表示するリスト表示処理と、
前記リスト表示処理で表示したリストの中から選択された内容に対応する医用画像を表示する画像表示処理と、
前記画像表示処理で表示した医用画像に対する読影レポートを入力する読影レポート入力処理と、
前記読影レポート入力処理で入力した読影レポートをデータベースへ保存する読影レポート保存処理とを行い、
前記リスト表示処理は、前記読影レポート入力処理により読影レポートが入力されたことを表す情報を前記リストに表示することをコンピュータに実行させることを特徴とするコンピュータプログラム。
【０１３０】
（実施態様３２）  前記実施態様３１に記載のコンピュータプログラムを記録したことを特徴とするコンピュータ読み取り可能な記録媒体。
【０１３１】
【発明の効果】
以上説明したように本発明によれば、データベースが管理する医用画像の検索結果をリストとして表示する際に、前記医用画像に対する読影レポートが入力されている場合には、そのことを表す情報を前記リストに表示するようにしたので、読影医師（ユーザ）は、前記医用画像に対する読影状況を容易に把握することができ、医用画像を読影すべきかどうかを直感的に知ることができる。
【図面の簡単な説明】
【図１】本発明の第１の実施の形態を示し、医療情報表示装置の構成の一例を示すブロック図である。
【図２】本発明の第１の実施の形態を示し、医療情報表示装置の動作を説明するフローチャートである。
【図３】本発明の第１の実施の形態を示し、検査リストと患者リストの表示例を示した図である。
【図４】本発明の第２の実施の形態を示し、患者／検査リスト、シリーズリスト、及びイメージリストの第１の表示例を示した図である。
【図５】本発明の第２の実施の形態を示し、患者／検査リスト、シリーズリスト、及びイメージリストの第２の表示例を示した図である。
【図６】本発明の第３の実施の形態を示し、医師に固有の検査リストの表示例を示した図である。
【図７】本発明の実施の形態を示し、医療情報表示装置に配設されているコンピュータシステムの構成の一例を示したブロック図である。
【符号の説明】
１０１  検索手段
１０２  リスト表示手段
１０３  画像表示手段
１０４  読影レポート入力手段
１０５  読影レポート保存手段
３０１  検査リスト
３０２  患者リスト
３０３〜３０７  検査
３０８〜３１０  マーク
【図１】
2004287732.tif 000003
【図２】
2004287732.tif 000004
【図３】
2004287732.tif 000005
【図４】
2004287732.tif 000006
【図５】
2004287732.tif 000007
【図６】
2004287732.tif 000008
【図７】
2004287732.tif 000009